(57)【要約】      （修正有）【課題】帽子を洗った後そのまま干すと形が崩れ皴ができやすいし、保管のときも形が崩れやすい。また帽子は生地によって日向に干すものと日陰に干すものがある。そこで、帽子の干し具と収納両方使えるものを提供する。【解決手段】１の笊状のボウルに帽子を被せて物干竿等に付けて干す。帽子の生地によって日向に干せない場合は、笊ボウル１と支柱３を取り外して５の皿に差し込んで室内か日陰で干す。１の笊ボウルだけ取り外して収納用にも使える。【選択図】図１
0003132473.tif 000002
【実用新案登録請求の範囲】
【請求項１】
物干竿に付ける洗濯バサミ４の部分に支柱３を差し込んでその支柱に笊ボウル１を差し込む。
【請求項２】
風に飛ばされないように帽子を固定するひも付洗濯バサミ２がある。
【請求項３】
笊ボウルと支柱と洗濯バサミは分解できるため、笊ボウルだけ取り外して収納用に使える。
【請求項４】
室内で干す場合、笊ボウル１と支柱３を取り外して、濡れた帽子から落ちる水滴を受けられるような皿に差し込んで干す。
【考案の詳細な説明】
【技術分野】
【０００１】本考案は、帽子の形を崩さず干して収納用にも使える帽子専用道具に関するものである。
【背景技術】
【０００２】帽子を洗った後そのまま干すと形が崩れ皴ができやすい。
従来帽子の干し具として、物干竿に掛けて干す帽子の物干し器（実用新案出願平５−５１１８８）と収納と乾燥具両方使える帽子収納兼用乾燥具（特許出願２０００−３５６７７６）があった。
【考案の開示】
【考案が解決しようとする課題】
【０００３】帽子の物干し器（実用新案出願平５−５１１８８）の場合は、構造上帽子のデザインによってはツバが広い帽子などは対応できない点と、物干竿に掛けたら下に向いてしまうため使い勝手に不便さがあった。
帽子収納兼用乾燥具（（特許出願２０００−３５６７７６）の場合は、帽子を被せる部分がメッシュ状になってないため干すとき時間がかかるし、室内で干した場合濡れた帽子から落ちる水滴を受ける部分がなかった。
本考案はこういった問題を解決し、従来のものより、より使いやすい物を提案する。
【課題を解決するための手段】
【０００４】帽子を被せる部分は色んなデザインの帽子でも対応できて乾燥しやすく、笊状のボウルの形にする。
物干竿に付ける洗濯バサミの部分に支柱を差し込んでその支柱に笊ボウルを差し込むことで物干竿に付けても下に向かない。
室内で干す場合、濡れた帽子から落ちる水滴を受けられるような皿に笊ボウルと支柱を差し込んで干す。
【考案の効果】
【０００５】こうしたことで、物干竿に付けても帽子は下を向かないでまっすぐに干せる。
笊状のボウルの形で色んなデザインの帽子を被せて乾かすことができる。
帽子の生地によっては日向に干せないものもあるため、日向に干す帽子と室内か日陰に干す帽子を区別して使用することができる。
室内で干す場合、水滴を受ける皿を設けるので、床を濡らさない。
干した後は笊状のボウルだけ取り外してそのまま帽子の収納用として使える。
【考案を実施するための最良の形態】
【０００６】物干竿に付ける洗濯バサミの部分に支柱を差し込んでその支柱に笊ボウルを差し込む。
帽子を被せる部分は笊状のボウルの形にして色んなデザインの帽子でも対応できる。
外に干すときは風に飛ばされないようにするため、笊状のボウルの部分に帽子を固定するひも付洗濯バサミがある。この洗濯バサミは取り外しできる。
笊ボウルと支柱と洗濯バサミは分解できる。
物干竿等に付ける洗濯バサミは、濡れた帽子の重みに耐えるように鋏む部分にゴムを張りまた強い力のものを使う。
室内で干すときは、濡れた帽子から落ちる水を受けられるような皿に笊ボウルと支柱を差し込んで干す。
【実施例】
【０００７】図１は外で干す場合に洗濯乾燥具か物干竿とかにつけて干す。【０００８】図２は室内か日陰で干す。【０００９】１の笊ボウルだけ取り外して収納用として使える。
【産業上の利用可能性】
【００１０】今や色々な帽子があって数多い帽子を持っている人が多い。
そういった帽子を大切に長く使うために、干し具と収納両方使えるこの考案は有効に活用できる。
【図面の簡単な説明】
【００１１】
【図１】本考案の物干竿等に付ける正面図である。
【図２】本考案の室内用正面図である。
【図３】本考案の図２の断面図である。
【符号の説明】
【００１２】１  帽子を被せる本体
２  帽子を風に飛ばされないようにするための洗濯バサミ
３  取り外しできる支柱
４  物干竿に付ける洗濯バサミ
５  水滴を受けるための皿
【図１】
0003132473.tif 000003
【図２】
0003132473.tif 000004
【図３】
0003132473.tif 000005
【手続補正書】
【提出日】平成18年6月7日(2006.6.7)
【手続補正１】
【補正対象書類名】実用新案登録請求の範囲
【補正対象項目名】全文
【補正方法】変更
【補正の内容】
【実用新案登録請求の範囲】
【請求項１】
本考案は、帽子の形を崩さず干して収納用にも使える帽子専用道具に関するものである。
【請求項２】
物干竿に付ける洗濯バサミ４の部分に支柱３を差し込んでその支柱に笊ボウル１を差し込む。
【請求項３】
笊ボウルと支柱と洗濯バサミは分解できるため、笊ボウルだけ取り外して収納用に使える。
【請求項４】
室内で干す場合、笊ボウル１と支柱３を取り外して、濡れた帽子から落ちる水滴を受けられるような皿に差し込んで干す。
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
本考案は、帽子の形を崩さず干して帽子収納用にも使える帽子専用道具である。
【請求項２】
物干竿に付ける洗濯バサミ４の部分に支柱３を差し込んでその支柱に笊ボウル１を差し込む請求項１の帽子専用道具である。
【請求項３】
笊ボウルと支柱と洗濯バサミは分解できるため、笊ボウルだけ取り外して帽子収納用に使える請求項１の帽子専用道具である。
【手続補正書】
【提出日】平成19年1月9日(2007.1.9)
【手続補正１】
【補正対象書類名】図面
【補正の内容】
0003132473.tif 000006
【手続補正書】
【提出日】平成19年1月9日(2007.1.9)
【手続補正１】
【補正対象書類名】明細書
【補正対象項目名】全文
【補正方法】変更
【補正の内容】
【考案の詳細な説明】
【技術分野】
【０００１】本考案は、帽子の形を崩さず干して収納用にも使える帽子専用道具に関するものである。
【背景技術】
【０００２】帽子を洗った後そのまま干すと形が崩れ皴ができやすい。
従来帽子の干し具として、物干竿に掛けて干す帽子の物干し器（実用新案出願平５−５１１８８）と収納と乾燥具両方使える帽子収納兼用乾燥具（特許出願２０００−３５６７７６）があった。
【考案の開示】
【考案が解決しようとする課題】
【０００３】帽子の物干し器（実用新案出願平５−５１１８８）の場合は、構造上帽子のデザインによってはツバが広い帽子などは対応できないし、又、帽子収納兼用乾燥具（（特許出願２０００−３５６７７６）の場合は、帽子を被せる部分がメッシュ状になってないため、干すときメッシュ状より時間がかかる。
本考案はこういった問題を解決し従来のものより、より使いやすい物を提案する。
【課題を解決するための手段】
【０００４】帽子を被せる部分は色んなデザインの帽子でも対応できるボウルの形で、乾燥しやすく笊状にする。
物干竿に掛けても帽子をまっすぐ干せるように、物干竿に付ける洗濯バサミ４の上の部分に支柱３を差し込んでその支柱に笊ボウル１を差し込む構造にする。
【考案の効果】
【０００５】こうしたことで、笊状のボウルの形で色んなデザインの帽子を被せて乾かすことができるし、物干竿に付けても帽子は下を向かないでまっすぐに干せる。干した後は笊状のボウルだけ取り外してそのまま帽子の収納用として使える。
【考案を実施するための最良の形態】
【０００６】物干竿に付ける洗濯バサミ４の部分に支柱３を差し込んでその支柱に笊ボウル１を差し込む。
帽子を被せる部分１は笊状のボウルの形にして色んなデザインの帽子でも対応できる。
外に干すときは風に飛ばされないようにするため、笊状のボウルの部分に帽子を固定するひも付洗濯バサミ２がある。
笊ボウル１と支柱３と洗濯バサミ４は分解できる。
【実施例】
【０００７】図１は、４の洗濯バサミの部分を洗濯乾燥具か物干竿とかにつけて１の笊状のボウルに帽子を被せて干す。【０００８】１の笊ボウルだけ取り外して収納用として使える。
【産業上の利用可能性】
【０００９】今や色々な帽子があって数多い帽子を持っている人が多い。
そういった帽子を大切に長く使うために、帽子の干し具と収納両方使えるこの考案は有効に活用できる。
【図面の簡単な説明】
【００１０】
【図１】本考案の物干竿等に付ける正面図である。
【符号の説明】
【００１１】１  帽子を被せる本体
２  帽子を風に飛ばされないようにするための洗濯バサミ
３  取り外しできる支柱
４  物干竿に付ける洗濯バサミ
【手続補正書】
【提出日】平成19年1月9日(2007.1.9)
【手続補正１】
【補正対象書類名】実用新案登録請求の範囲
【補正対象項目名】全文
【補正方法】変更
【補正の内容】
【実用新案登録請求の範囲】
【請求項１】
物干竿に付ける洗濯バサミ４の上の部分に支柱３を差し込んでその支柱に笊ボウル１を差し込む帽子専用干し具。
【手続補正書】
【提出日】平成19年4月2日(2007.4.2)
【手続補正１】
【補正対象書類名】手続補正書
【補正対象項目名】手続補正１
【補正方法】変更
【補正の内容】
【手続補正１】
【補正対象書類名】図面
【補正対象項目名】全図
【補正方法】変更
【補正の内容】
【図１】
0003132473.tif 000007